(57)【特許請求の範囲】
【請求項１】
魚眼状の曲面からなる複数の拡散ステップを有するものであって、その中心部にランプバルブの設置される主反射面と、当該主反射面を中心にして、その周りに立体的に形成される周壁反射面と、からなるランプ用リフレクタにおいて、上記主反射面を所定の曲面からなるようにするとともに、当該主反射面を中心にして、その周辺部に形成される四つの周壁反射面を、それぞれ平面状に展開させるとともに、これら展開された各面を上記主反射面の一部に、その一部が薄肉ヒンジ部を介して連結されるように形成させ、更に、このように展開された面であって、上記主反射面における魚眼状の拡散ステップが設けられる面と同じ面側に複数の魚眼状の拡散ステップを設け、そして更に、これら魚眼状拡散ステップのところに、所定の蒸着手段あるいはメッキ手段により金属薄膜を形成させ、このような複数の魚眼状拡散ステップを有する平面状の各反射面を上記薄肉ヒンジ部を介して立体的に折りたたむとともに、このようにして形成された立体的反射面の開口部の形状を上記主反射面の形状よりも絞った状態に形成させるようにしたことを特徴とするランプ用リフレクタ。
【発明の詳細な説明】
【０００１】
【発明の属する技術分野】
本発明は、ランプ用リフレクタに関するものであり、特に、ランプバルブを、その焦点位置に有する主反射面、及び当該主反射面の周りに設けられる周壁反射面のすべてに魚眼状の拡散ステップを設けるようにするとともに、これらすべての反射面を上記主反射面を中心にして平面状に展開させた状態で一体的に成形し、このような平面状に展開された状態で形成された各反射面を折りたたむことによって、立体的な反射面を形成させるようにしたランプ用リフレクタに関するものである。
【０００２】
【従来の技術】
従来のランプ用リフレクタは、例えば図８に示す如く、ランプバルブ２０の設置される主反射面１０を主に魚眼状の拡散ステップ１１０が設けられるようになっているものである。ところで、この従来のものにおいては、主反射面１０の周りに形成される周壁反射面３０、４０等には拡散ステップが設けられておらず、平滑な面となっている。このような従来のものにおいては、例えば図８に示す如く、ランプべゼルを斜め方向から覗き込んだような場合において、主反射面１０と周りの周壁反射面３０、４０との間において、輝きに差が生じてしまうこととなる。従って、主反射面１０と、その周りの反射面３０、４０とが分離された状態で認識されてしまうこととなり、反射面（リフレクタ）全体として見栄えが損なわれることとなる。また、反射光を十分に得ることができないという問題点を有する。
【０００３】
【発明が解決しようとする課題】
このような問題点を解決するために、主反射面に設けられる周壁反射面についても拡散ステップを設けるようにしたものが挙げられる（実用新案登録第２５７５１３８号参照）。このものは、立体形状のリフレクタ全体が、プラスチック材にて一体的に成形されるようになっているものであり、そして、その内面側に拡散ステップが設けられるようになっているものである。しかしながら、このようなリフレクタにおいては、その成形に当っての型抜きの都合上等から、周壁反射面における拡散ステップの形状において、自ずから限界がある。すなわち、周壁反射面のすべてにおいて、縦横に所定の曲面を有する魚眼状の拡散ステップを設けることは困難である。従って、上記従来のものにおいては、あらゆる方向について十分な反射光を得ることは難しい。このような問題点を解決するために、リフレクタ全体を、主反射面を形成することとなる部分を中心にして全体を平面状に展開させた状態で形成するとともに、このように展開させた状態で形成されたものを、次の段階において立体的に折りたたむことによって、最終的に、すべての反射面に複数の魚眼状拡散ステップを有するようにしたランプ用リフレクタを提供しようとするのが、本発明の目的（課題）である。
【０００４】
【課題を解決するための手段】
上記課題を解決するために、本発明においては次のような手段を講ずることとした。すなわち、請求項１記載の発明においては、魚眼状の曲面からなる複数の拡散ステップを有するものであって、その中心部にランプバルブの設置される主反射面と、当該主反射面を中心にして、その周りに立体的に形成される周壁反射面と、からなるランプ用リフレクタに関して、上記主反射面を所定の曲面からなるようにするとともに、当該主反射面を中心にして、その周辺部に形成される四つの周壁反射面を、それぞれ平面状に展開させるとともに、これら展開された各面を上記主反射面の一部に、その一部が薄肉ヒンジ部を介して連結されるように形成させ、更に、このように展開された面であって、上記主反射面における魚眼状の拡散ステップが設けられる面と同じ面側に複数の魚眼状の拡散ステップを設け、そして更に、これら魚眼状拡散ステップのところに、所定の蒸着手段あるいはメッキ手段により金属薄膜を形成させ、このような複数の魚眼状拡散ステップを有する平面状の各反射面を上記薄肉ヒンジ部を介して立体的に折りたたむとともに、このようにして形成された立体的反射面の開口部の形状を上記主反射面の形状よりも絞った状態に形成させるようにした構成を採ることとした。
【０００５】
このような構成を採ることにより、本発明のものにおいては次のような作用を呈することとなる。すなわち、本来、立体形状を有するランプ用リフレクタを、まず、プラスチック材を用いて平面状に展開させた状態にて一体成形するようにしたので、その各反射面のすべてにわたって、縦横に曲面部を有する魚眼状の拡散ステップを設けるようにすることができるようになる。また、このようにして形成された魚眼状拡散ステップのところに真空蒸着手段等により金属製の薄膜を設け、このような魚眼状の金属反射面を有するものであって平面状に展開されたものを、次に、各反射面間に設けられた薄肉ヒンジ部のところをもって折り曲げる（折りたたむ）ことによって、立体形状を有するランプ用リフレクタを形成させることができるようになる。従って、主反射面のみならず、周りの各周壁反射面においても魚眼状の拡散ステップを有するランプ用リフレクタを、効率良く形成させる（製造する）ことができるようになる。
【０００６】
また、本発明のものにおいては、上記主反射面を形成する部分及び当該主反射面を形成する部分に連続して設けられるものであって主反射面の周辺部に設けられる周壁反射面を形成する部分を、平面状に展開させた状態で一体的に成形するとともに、各反射面を形成する魚眼状拡散ステップのところに、真空蒸着手段あるいはメッキ手段により金属製薄膜を形成させ、このような複数の魚眼状拡散ステップを有する平面状の各反射面を上記薄肉ヒンジ部を介して立体的に折りたたむことによって、所定の立体形状を有する反射面を形成させるようにした。
【０００７】
そして更に、本発明のものにおいては、立体的に組立てられたリフレクタアセンブリ（リフレクタ）の状態のものにおいて、例えば、開口部の形状を主反射面の形状よりも絞った状態に形成させるようにしている。従来の一体成形型のものにおいては、型抜きの都合上、開口部は拡がった形状のものしか成形することができず、開口部の形状を絞った状態の、いわゆるプロジェクタ型のランプにおいては、リフレクタ開口部のところに、所定の開口形状からなるスクリーンあるいはシェード等を設置することによって対処することとしている。このようなプロジェクタ型のランプにおいて、本発明のものにおいては、リフレクタの立体成形を最後に行なうこととしているので、自由に、その開口形状を設定することができ、レンズ部の絞り形状についての設計の自由度が高められることとなる。
【０００８】
【発明の実施の形態】
本発明の実施の形態について、図１ないし図７を基に説明する。本実施の形態に関するものの、その構成は、図１に示す如く、回転放物面等からなるものであって、その焦点位置のところにランプバルブ６の設けられる主反射面１と、当該主反射面１の周りに設けられるものであって、上記主反射面１の一部に各薄肉ヒンジ部７を介してそれぞれの一部が連結される周壁反射面２、３、４、５を形成することとなる各部分（パート）と、からなることを基本とするものである。
【０００９】
そして、このような構成からなる上記反射面を形成することとなる各パート１、２、３、４、５が、図１の（Ａ）に示す如く、プラスチック材にて、一体的に、かつ、平面状に成形されるようになっているものである。また、これら構成からなる各パート１、２、３、４、５の一方の面側、すなわち、立体的に組立てられた状態においてリフレクタ１０の内面側を形成することとなる側（反射面側）には、複数の魚眼状の拡散ステップ１１が設けられるようになっているものである。そして、このような魚眼状の拡散ステップ１１を含む反射面のところには、真空蒸着手段またはメッキ手段等からなる金属製の薄膜層が設けられるようになっているものである。そして更に、このように平面状に展開された状態にて所定の処置の施されたものが、図１の（Ｂ）に示す如く、立体的に組立てられる（折りたたまれる）ことによって、内面側に複数の魚眼状拡散ステップ１１を有するリフレクタ１０が形成されることとなる。なお、この組立て作業、すなわち、リフレクタ１０の形成に当っては、図２に示す如く、各反射面１、２間等に設けられた薄肉ヒンジ部７のところをもって折り曲げ成形する（折りたたむ）ことによって、比較的簡単に、その作業が行なわれることとなる。
【００１０】
また、主反射面１の周辺部に形成される周壁反射面２、３、４、５どうしの結合（連結）は、例えば図４あるいは図５に示す如く、一方の部材３等に凸起８あるいは係合爪８８等を設けるようにしておくとともに、これら凸起８あるいは係合爪８８等を他方の部材２等に設けられた係合用切欠き８９または係合穴８９等に係合させることによって行なわれることとなる。特に、図４のものにおいては、凸起８を係合用切欠き８９に係合させた後に、その一部を適当な手段にて熱溶着させる等の、いわゆる熱加締めが施されるようになっているものである。これによって、接合部（結合部）において剛性の高められたリフレクタ１０が形成されることとなる。
【００１１】
そして、このようにして立体的に折りたたまれて、リフレクタ１０が形成された状態において、当該リフレクタ１０を、図３に示す如く、所定のランプハウジング９内に設置（装着）することによって、各反射面に複数の魚眼状拡散ステップ１１を有するリフレクタ１０及び当該リフレクタ１０を有するランプアセンブリが形成されることとなる。なお、この場合において、ランプハウジング９に設けられた係合穴９９のところに、上記リフレクタ１０の一部、例えば主反射面１の裏面側に設けられた係止爪１９等を嵌合させることによって、リフレクタ１０のランプハウジング９内への固定が行なわれることとなる。
【００１２】
なお、このようにして形成される（組立てられる）リフレクタ１０においては、周壁反射面の一部を成す上下の反射面２、４等を、例えば図６に示す如く、その開口部（Ａ）が主反射面１よりも絞られた状態に形成させることが容易にできるようになる。また、図７に示す如く、開口部が絞られた状態となるように周壁反射面２、４の端部を予め設定しておくことによって、開口部（Ａ）が主反射面１に対して絞られた状態のものであって内面側（反射面）に複数の魚眼状拡散ステップ１１を有するリフレクタ１０が簡単に形成（製造）されることとなる。
【００１３】
次に、このような構成からなる本実施の形態のものについての、その作用等について説明する。すなわち、本来、立体形状を有するランプ用リフレクタ１０を、プラスチック材を用いて平面状に展開させた状態にて一体成形するようにしたので、縦横に曲面部を有する魚眼状の拡散ステップ１１を上記各反射面のすべてにわたって設けるようにすることができる。また、このようにして形成された魚眼状拡散ステップ１１のところに真空蒸着手段等により金属製の薄膜を設け、このような魚眼状の金属反射面を有するものであって平面状に展開されたものを、次に、各反射面間に設けられた薄肉ヒンジ部７のところをもって折り曲げる（折りたたむ）ことによって、立体形状を有するランプ用リフレクタ１０を形成させることができるようになる。従って、主反射面１のみならず、周りの各周壁反射面２、３、４、５においても魚眼状の拡散ステップ１１を有するランプ用リフレクタ１０を、効率良く形成させる（製造する）ことができるようになる。
【００１４】
また、開口部の形状を主反射面の形状よりも絞った状態に形成させることができるようになるので（図６，図７参照）、いわゆるプロジェクタ型のランプに用いられるリフレクタについても、その反射面全面にわたって魚眼状の拡散ステップ１１を設けることができるようになる。一般に、従来のものにおいては、リフレクタ開口部（Ａ）のところに、所定の開口形状からなるスクリーンあるいはシェード等を設置することによって対処することとしているのに対して、このような余分な部材を設ける必要が無くなる。その結果、プロジェクタ型のランプにおいて、レンズ部の絞り形状についての設計の自由度が高められることとなる。
【００１５】
【発明の効果】
本発明によれば、魚眼状の曲面からなる複数の拡散ステップを有するものであって、その中心部にランプバルブの設置される主反射面と、当該主反射面を中心にして、その周りに立体的に形成される周壁反射面と、からなるランプ用リフレクタに関して、上記主反射面を所定の曲面からなるようにするとともに、当該主反射面を中心にして、その周辺部に形成される四つの周壁反射面を、それぞれ平面状に展開させるとともに、これら展開された各面を上記主反射面の一部に、その一部が薄肉ヒンジ部を介して連結されるように形成させ、更に、このように展開された面であって、上記主反射面における魚眼状の拡散ステップが設けられた面と同じ側の面側に複数の魚眼状の拡散ステップを設けるようにした構成を採ることとしたので、主反射面を含めたすべての反射面において、縦横に曲面部を有する魚眼状の拡散ステップを設けることができるようになった。また、このようにして形成された魚眼状拡散ステップのところに真空蒸着手段等により金属製の薄膜を設け、このような魚眼状の金属製反射面を有するものであって平面状に展開されたものを、次に、各反射面間に設けられた薄肉ヒンジ部のところをもって折り曲げる（折りたたむ）ことによって、立体形状を有するランプ用リフレクタを簡単に形成させることができるようになった。従って、主反射面のみならず、周りの各周壁反射面においても魚眼状の拡散ステップを有するランプ用リフレクタを、効率良く形成させる（製造する）ことができるようになった。その結果、全体的に反射率の優れたリフレクタを形成させる（製造する）ことができるようになった。
【００１６】
また、開口部の形状を主反射面の形状よりも絞った状態に形成させることができるようになったので、いわゆるプロジェクタ型のランプのリフレクタにも適用させることができるようになった。従って、従来のものにおいて、リフレクタ開口部のところに、所定の開口形状からなるスクリーンあるいはシェード等を設置することによって対処することとしていたのに対して、このような余分な部材を設ける必要がなくなり、プロジェクタタイプのランプについての、その製造コストの低減化を図ることができるようになった。
【図面の簡単な説明】
【図１】本発明にかかるリフレクタの組立工程を示す図である。
【図２】本発明にかかる薄肉ヒンジ部の具体的な構造を示す図である。
【図３】本発明にかかるリフレクタのランプハウジング内への装着手順を示す図である。
【図４】本発明にかかるリフレクタの周壁反射面どうしの結合構造についての一実施形態を示す図である。
【図５】周壁反射面どうしの結合構造に関する他の実施形態を示す図である。
【図６】本発明にかかるリフレクタにおいて開口部を絞った形状にしたものについての、その一実施形態を示す図である。
【図７】開口部を絞ったものについての他の実施形態を示す図である。
【図８】従来例におけるリフレクタの全体構成を示す斜視図である。
【符号の説明】
１  主反射面
１１  魚眼状拡散ステップ
１９  係止爪
２  周壁反射面
３  周壁反射面
４  周壁反射面
５  周壁反射面
６  ランプバルブ
７  薄肉ヒンジ部
８  凸起
８８  係合爪
８９  係合用切欠き（係合穴）
９  ランプハウジング
９９  係合穴
１０  リフレクタ
【図１】
0004279936.tif 000002
【図２】
0004279936.tif 000003
【図３】
0004279936.tif 000004
【図４】
0004279936.tif 000005
【図５】
0004279936.tif 000006
【図６】
0004279936.tif 000007
【図７】
0004279936.tif 000008
【図８】
0004279936.tif 000009